(57)【要約】      （修正有）【課題】紙袋が収容出来、新聞紙チラシ紙の集積梱包が簡単に出来、部屋に置いても、すっきり、搬出時にも、新聞紙チラシ紙のゆがみ、はみ出し等も無く梱包もすっきりさせる事が出来る紙袋詰補助ボックスを提供する。【解決手段】上記の紙袋詰補助ボックスは、新聞紙・チラシ紙の集積用紙袋を収容可能なる様に、紙袋とボックスの間に適度の空間を設けて形成する。上記の紙袋詰補助ボックスは、重い新聞、チラシの束を持ち上げることなく、該紙袋詰補助ボックスを引き上げることで、新たな集積袋となるので、梱包と搬出が簡単になる。【選択図】図２
0003173413.tif 000002
【実用新案登録請求の範囲】
【請求項１】
考案の折りたたみ式ＢＯＸ楽ちんは紙袋を収容可能な新聞紙チラシ紙の袋詰め補助ＢＯＸです。    考案の折りたたみ式ＢＯＸ楽ちんは円筒形で新聞紙チラシ紙袋に投入する際に新聞紙チラシ紙のゆがみによる形状崩れ、形状崩れによる紙袋の破れを防止をする折りたたみ式ＢＯＸ楽ちんの上部下部の口径は共に新聞紙集積袋の円周×１００．０６〜１００．２％である    縦の長さは紙袋の長さ（公序良俗違反につき、不掲載）×１００％である事を特徴とする折りたたみ式ＢＯＸ楽ちんに関する
【考案の詳細な説明】
【技術分野】
【０００１】本考案は容器内部に新聞紙集積袋を収容可能な折りたたみ式ＢＯＸ楽ちんに関する。
【背景技術】
【０００２】考案の折りたたみ式ＢＯＸ楽ちんは新聞紙チラシ紙の集積ＢＯＸです。
【考案の開示】
【考案が解決しようとする課題】
【０００３】考案の折りたたみ式ＢＯＸ楽ちんは新聞紙チラシ紙の集積に当り新聞紙チラシ紙のゆがみによる集積袋の破れを防止します。
【課題を解決するための手段】
【０００４】考案の折りたたみ式ＢＯＸ楽ちんは新聞紙チラシ紙のゆがみによる荷くづれ、ゆがみにより新聞集積袋の破れ破損を防止します。  １  ＢＯＸの形状は円筒形  ２  解決方法は紙袋とＢＯＸ間の適度の空間サイズ  ３  サイズ内訳は上部下部の口径は共に紙袋の円周×１００．０６〜１００．２％  ４  縦の長さは紙袋の縦の長さ（公序良俗違反につき、不掲載）×１００％
【考案の効果】
【０００５】よって、本考案の折りたたみ式ＢＯＸ楽ちんは読み終わった新聞紙チラシ紙の保管に当り何時もきちんと収納され、ゆがんだ新聞紙チラシ紙の散乱した姿を見ることなく何時も整理された空間を提供いたします。
【考案を実施するための最良の形態】
【０００６】考案の折りたたみ式ＢＯＸ楽ちんは円筒型のため重い新聞の束を持ち上げることなく軽い折りたたみ式ＢＯＸ樂ちんを持ち上げればそこには美しく、綺麗に、整った新聞チラシ紙の集積紙袋の姿を提供する事が出来ます。
【図面の簡単な説明】
【０００７】
【図１】本考案の折りたたみ式ＢＯＸ楽ちん［斜視図］
【図２】本考案の折りたたみ式ＢＯＸ樂ちん  新聞紙、チラシ紙の集積状況とＢＯＸ引き上げ状況
【図１】
0003173413.tif 000003
【図２】
0003173413.tif 000004
0003173413.tif 000005
【手続補正書】
【提出日】平成23年7月22日(2011.7.22)
【手続補正１】
【補正対象書類名】実用新案登録請求の範囲
【補正対象項目名】全文
【補正方法】変更
【補正の内容】
【実用新案登録請求の範囲】
【請求項１】
折りたたみ式ＢＯＸ楽ちんは内部に新聞紙チラシ紙の集積用紙袋を収容可能である、形状は円筒形である、新聞紙チラシ紙の収納はぐにゃぐにゃと変形し、時折り新聞紙チラシ紙の折りたたみ角の突起による紙袋の破損を防止いたします、サイズは新聞紙チラシ紙の集積袋の円周×１００．１〜１００．３である縦の長さは新聞紙チラシ紙集積紙袋×１００％である
【手続補正２】
【補正対象書類名】明細書
【補正対象項目名】全文
【補正方法】変更
【補正の内容】
【考案の詳細な説明】
【技術の分野】
【０００１】新聞紙チラシ紙を収納可能な折りたたみ式ＢＯＸ樂ちんに関する
【背景技術】
【０００２】折りたたみ式ＢＯＸ楽ちんは新聞紙チラシ紙の集積ＢＯＸです
【解決しようとする課題】
【０００３】折りたたみ式ＢＯＸ楽ちんは新聞紙チラシ紙の集積に当り新聞紙チラシ紙のゆがみ、集積袋の破れ防止します
【課題を解決するための手段】
【０００４】  １  折りたたみ式ＢＯＸ形状を円筒形とする
２  紙袋とＢＯＸの間に適度の空間を設ける
３  円筒口径サイズは上部下部共に紙袋の円周×１００．１％〜１００．３％
４  縦の長さは紙袋の長さ×１００％
【考案の効果】
【０００５】  何時も必要な時に使用出来、不要な時に折りたたんで収納でき、更に袋の破れや、ゆがみを無くしお部屋に何時も便利さと快適な空間を提供いたします
【考案を実施する為の最良の形態】
【０００６】  折りたたみ式ＢＯＸ楽ちんは円筒形のため重い新聞、チラシの束を持ち上げることなく、折りたたみ式ＢＯＸ楽ちんを上げれば、そこに現れる美しい姿の集積袋を手にする事が出来、簡単に梱包と搬出する事が出来ます
【図面の簡単な説明】
【０００７】折りたたみ式ＢＯＸ楽ちんの形状と器能説明
【図１】新聞紙、チラシ紙の集容前の斜視図
【図２】折りたたみ式ＢＯＸ楽ちんが収容した新聞紙チラシ紙の集積姿斜視図
【図３】新聞紙、チラシ紙の搬出後の折りたたみ式ＢＯＸ楽ちんの姿斜視図
【図４】斜視図
【図５】平面図
【図６】正面図
【図７】左側面図
【図８】底面図
【図９】背面図
【図１０】右側図面
【手続補正３】
【補正対象書類名】図面
【補正対象項目名】全図
【補正方法】変更
【補正の内容】
0003173413.tif 000006
【図４】
0003173413.tif 000007
【図５】
0003173413.tif 000008
【図６】
0003173413.tif 000009
【図７】
0003173413.tif 000010
【図８】
0003173413.tif 000011
【図９】
0003173413.tif 000012
【図１０】
0003173413.tif 000013
【手続補正書】
【提出日】平成23年9月21日(2011.9.21)
【手続補正１】
【補正対象書類名】実用新案登録請求の範囲
【補正対象項目名】全文
【補正方法】変更
【補正の内容】
【実用新案登録請求の範囲】
【請求項１】
紙袋の袋詰め補助ＢＯＸは内部に紙袋を収容可能な折りたたみ式補助ＢＯＸである、紙袋の袋詰め補助ＢＯＸは新聞紙チラシ紙の袋詰めの際に発生する凸凹をなくし内部の紙袋の変形や破れを防止します。
【手続補正３】
【補正対象書類名】明細書
【補正対象項目名】０００１
【補正方法】変更
【補正の内容】
【０００１】  紙袋の袋詰め補助ＢＯＸは折りたたみ式なので必要時に役に立ち必要でない時には折りたたんで収納出来、何時も快適な空間を提供できる。
この技術では紙袋の縦の長さ×１００％と紙袋の円周×１０１〜１０３％である。
紙袋の袋詰め補助ＢＯＸは新聞紙、チラシ紙の袋詰めの際に発生する天敵新聞紙、チラシ紙の何れも雑なたたみ方から発生する変形ジワと凸凹発生を防止します。
【手続補正４】
【補正対象書類名】明細書
【補正対象項目名】０００７
【補正方法】変更
【補正の内容】
【０００７】
【図１】斜視図  新聞紙  チラ紙を袋詰めする前の補助ＢＯＸ
【図２】斜視図  新聞紙  チラ紙が袋詰めされた状況の補助ＢＯＸ
【図３】斜視図  新聞紙  チラ紙の入った紙袋を開放後の補助ＢＯＸ
【図４】斜視図
【図５】平面図  袋詰め入れ口
【図６】正面図  中央点線折りたたみライン
【図７】左側面図
【図８】底面図  袋詰め後の紙袋の出口
【図９】背面図  中央点線折りたたみライン
【図１０】右側面図
【手続補正５】
【補正対象書類名】図面
【補正対象項目名】全図
【補正方法】変更
【補正の内容】
【図１】
0003173413.tif 000014
【図２】
0003173413.tif 000015
【図３】
0003173413.tif 000016
【図４】
0003173413.tif 000017
【図５】
0003173413.tif 000018
【図６】
0003173413.tif 000019
【図７】
0003173413.tif 000020
【図８】
0003173413.tif 000021
【図９】
0003173413.tif 000022
【図１０】
0003173413.tif 000023
【手続補正書】
【提出日】平成23年11月14日(2011.11.14)
【手続補正１】
【補正対象書類名】実用新案登録請求の範囲
【補正対象項目名】全文
【補正方法】変更
【補正の内容】
【実用新案登録請求の範囲】
【請求項１】
紙袋の袋詰め補助ＢＯＸにおいて、内部に紙袋を収容可能な折りたたみ式で  あることを特長とする紙袋の袋詰め補助ＢＯＸ。